(57)【要約】【課題】  特に人体に対して良い香りを放散する温風ヒーターを提供する。【解決手段】  第１吹出口１１１と第２吹出口１１２が形成されたヒーター本体１０と、前記第１吹出口１１１及び第２吹出口１１２の少なくともいずれか一方の吹出口に配設される、内部に顆粒状芳香剤３２が収容された収容部材３０を備えると共に、前記収容部材３０が配設された前記吹出口１１１（１１２）には複数の通気溝４１が形成されるカバー板４０を取り付けた構成とした。【選択図】図２
0003111942.tif 000002
【実用新案登録請求の範囲】
【請求項１】
第１吹出口と第２吹出口が形成されたヒーター本体と、前記第１吹出口及び第２吹出口の少なくともいずれか一方の吹出口に配設される、内部に顆粒状芳香剤が収容された収容部材を備えると共に、前記収容部材が配設された前記吹出口には複数の通気溝が形成されたカバー板を取付けたことを特徴とする香りを放散する温風ヒーター。
【請求項２】
前記ヒーター本体は、内部に送風機と該送風機を駆動するためモータが設けられ、該送風機に第１送風口と第２送風口が形成され、前記第１吹出口と第１送風口との間にヒーター部が設けられ、前記ヒーター本体の内部に更にダクトが設けられ、該ダクトの一端に第２吹出口に対応する開口の大きい送風口が形成されると共に、他端に第２送風口に対応する開口の小さい空気取入口が形成され、前記収容部材が該ダクトの少なくともいずれか一方の送風口に設けられることを特徴とする請求項１に記載の香りを放散する温風ヒーター。
【請求項３】
前記ヒーター本体は前殻体と後殻体からなり、該前殻体の下部に柵状の第１吹出口が形成されると共に、上部に第２吹出口が形成され、上面にモータとヒーター部を制御するスイッチ機構が設けられ、前記収容部材の両側に前記ダクトの内側と係合する係合プレートが設けられていることを特徴とする請求項２に記載の香りを放散する温風ヒーター。
【考案の詳細な説明】
【技術分野】
【０００１】
本考案は、特に、人体に対して良い香りを放散する温風ヒーターに関するものである。
【背景技術】
【０００２】
従来の温風ヒーターは、例えば、中華民国実用新案公告第１９９５６５号「改良型温風ヒーター」に示すように、外部カバーを有し、該外部カバーの一端に送風口が設けられ、該送風口の内部に伝動機構によって駆動する送風機が設けられ、該送風機による風が電熱プレートを経由することにより温風を作り出すものが一般的である。
【０００３】
【特許文献１】中華民国実用新案公告第１９９５６５号  考案の名称：改良型温風ヒーター
【考案の開示】
【考案が解決しようとする課題】
【０００４】
しかしながら、従来の温風ヒーターは、単に温風を出すことしかできず、他の機能、例えば香りを放散するなどの機能は備わっていない。故に、従来の温風ヒーターは実用性に優れない。
【課題を解決するための手段】
【０００５】
本願の請求項１の考案は、第１吹出口と第２吹出口が形成されたヒーター本体と、前記第１吹出口及び第２吹出口の少なくともいずれか一方の吹出口に配設される、内部に顆粒状芳香剤が収容された収容部材を備えると共に、前記収容部材が配設された前記吹出口には複数の通気溝が形成されるカバー板を取付けたことを特徴とする。
【０００６】
請求項２の考案は、請求項１に記載の香りを放散する温風ヒーターにおいて、  前記ヒーター本体の内部に送風機と該送風機を駆動するためモータが設けられ、該送風機に第１送風口と第２送風口が形成され、前記第１吹出口と第１送風口との間にヒーター部が設けられ、前記ヒーター本体の内部に更にダクトが設けられ、該ダクトの一端に第２吹出口に対応する開口の大きい送風口が形成されると共に、他端に第２送風口に対応する開口の小さい空気取入口が形成され、前記収容部材が該ダクトの少なくともいずれか一方の送風口に設けられることを特徴とする。
【０００７】
請求項３の考案は、請求項２に記載の香りを放散する温風ヒーターにおいて、前記ヒーター本体は前殻体と後殻体からなり、該前殻体の下部に柵状の第１吹出口が形成されると共に、上部に第２吹出口が形成され、上面にモータとヒーター部を制御するスイッチ機構が設けられ、前記収容部材の両側に前記ダクトの内側と係合する係合プレートが設けられていることを特徴とする。
【考案の効果】
【０００８】
本考案は上記の課題を解決するものであり、通常の機能のほかに、人体に対して良い香りを放散する機能を有するので、収容部材から例えばビタミンＣ成分を有する香りを放散することができる。
【考案を実施するための最良の形態】
【０００９】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【実施例】
【００１０】
図１は本考案に係る香りを放散する温風ヒーターの実施例を示す分解斜視図であり、図２は本考案に係る香りを放散する温風ヒーターの部分分解斜視図であり、図３は本考案に係る香りを放散する温風ヒーターの斜視図であり、図４は本考案に係る香りを放散する温風ヒーターの使用状態を示す斜視図である。
【００１１】
図１乃至図３に示すように、本考案に係る香りを放散する温風ヒーターは、前殻体１１と後殻体１２からなるヒーター本体１０を有し、前殻体１１の下部に柵状の第１吹出口１１１が形成されると共に、上部に楕円形の第２吹出口１１２が形成され、上面にスイッチ組１１３が設けられ、該後殻体１２の内側にスイッチ機構１１３によって制御されるモータ１３と、該モータ１３によって駆動される送風機１４が設けられ、該送風機１４の下部に第１送風口１４１が形成されると共に、上部に前記第２吹出口１１２に対応する第２送風口１４２が形成され、又、前記第１吹出口１１１と第１送風口１４１との間にスイッチ機構１１３によって制御されるヒーター部１５が設けられる。
【００１２】
又、前記ヒーター本体１０の内部にダクト２０が設けられ、該ダクト２０の一端に第２吹出口１１２に対応する開口の大きい送風口２０１が形成されると共に、他端に第２送風口１４２に対応する開口の小さい空気取入口２０２が形成される。
【００１３】
又、前記ダクト２０の送風口２０１に収容部材３０が設けられ、該収容部材３０の両側に前記ダクト２０の内側と係合する係合プレート３１が設けられ、該収容部材３０の内部にか顆粒状芳香剤３２が収容されることにより、香りを放散するようになっている。又、前記顆粒芳香剤３２を収容する収容部材３０が送風口２０１に設けられるが、該収容部材３０を第１送風口１４１に設けることにより、前記実施の形態と同様に香りを放散することができる。
【００１４】
又、前記前殻体１１の第２吹出口１１２に複数の通気溝４１が形成されるカバー板４０が設けられる。又、前述した変形例のように、収容部材３０を第１送風口１４１に設け場合は、該カバー板４０が第１送風口１４１に応じて設けられることは勿論である。
【００１５】
図１、図２及び図４に示すように、本考案に係る香りを放散する温風ヒーターを使用する場合、先ずスイッチ機構１１３によって送風機１４から空気をそれぞれ第１送風口１４１と第２送風口１４２に送風し、該第１送風口１４１に送風した空気をヒーター部によって加熱し、第１吹出口１１１から熱風を吹き出す。又、前記第２送風口１４２に送風した空気は、ダクト２０における収容部材３０の顆粒状芳香剤３２を経由して第２吹出口１１２から香りを有する空気を送風する。
【００１６】
尚、上述した実施形態は単に本考案の一実施形態であり、本明細書に示す主張の範囲内であれば如何なる形態に構成させてもよく、また、容易に想到し得る範囲内であれば、当然本考案の主張範囲に属することは言うまでもない。
【産業上の利用可能性】
【００１７】
本考案は上記の構成を有するので、通常の機能のほかに、人体に対して良い香りを放散する機能を有するので、収容部材から例えばビタミンＣ成分を有する香りを放散することができる。
【図面の簡単な説明】
【００１８】
【図１】本考案に係る香りを放散する温風ヒーターの第１実施例を示す分解斜視図である。
【図２】本考案に係る香りを放散する温風ヒーターの図１の要部の分解斜視図である。
【図３】本考案に係る香りを放散する温風ヒーターの図１の組み立て全体斜視図である。
【図４】本考案に係る香りを放散する温風ヒーターの使用状態を示す全体斜視図である。
【符号の説明】
【００１９】
１０        ヒーター本体
１１        前殻体
１１１      第１吹出口
１１２      第２吹出口
１１３      スイッチ組
１２        後殻体
１３        モータ
１４        送風機
１４１      第１送風口
１４２      第２送風口
１５        ヒーター部
２０        ダクト
２０１      送風口
２０２      空気取入口
３０        収容部材
３１        係合プレート
３２        芳香剤顆粒
４０        カバー板
４１        通気溝
【図１】
0003111942.tif 000003
【図２】
0003111942.tif 000004
【図３】
0003111942.tif 000005
【図４】
0003111942.tif 000006